(57)【要約】【課題】高い組み立て精度を維持しつつ、簡単に組み立てることが可能な組立式天体望遠鏡を提供すること、及び組立式天体望遠鏡が書籍の付録として販売される形態に鑑み、その厚さを薄くした組立式天体望遠鏡を付録とする書籍を提供すること。【解決手段】対物レンズ（２２）及び接眼レンズ（２１）を含むレンズ部材が配置される鏡筒（２３）を、半円筒状の第１及び第２の鏡筒ユニット（２３ａ、２３ｂ）で構成し、かつ第１及び第２の鏡筒ユニット（２３ａ、２３ｂ）の内周に、レンズ部材が配置される配設部（Ａ）を形成する。【選択図】図１
0003127750.tif 000002
【実用新案登録請求の範囲】
【請求項１】
対物レンズ及び接眼レンズを含むレンズ部材が配設される鏡筒が、半円筒状の第１及び第２の鏡筒ユニットで構成され、かつ前記第１及び第２の鏡筒ユニットの内周に、前記レンズ部材を配置するための配設部が形成されていることを特徴とする組立式天体望遠鏡。
【請求項２】
対物レンズ及び接眼レンズを含むレンズ部材と、
前記対物レンズが配置される第１の鏡筒と、
前記第１のレンズ鏡筒に係合し、前記接眼レンズが配置される第２の鏡筒とを有し、
前記第１及び第２の鏡筒の各々が、半円筒状の第１及び第２の鏡筒ユニットで構成されるとともに、各々の前記鏡筒ユニットに前記レンズ部材を配置するための配設部が形成されていることを特徴とする組立式天体望遠鏡。
【請求項３】
組立式天体望遠鏡が収納される収納箱体を備えた組立式天体望遠鏡付き書籍であって、
本と、
前記組立式天体望遠鏡を構成する少なくともレンズ部材と、前記レンズ部材が配置される半円筒形状に半割された第１及び第２の鏡筒ユニットで構成される鏡筒と、を含む付録物品と、
前記付録物品を収納する前記収納箱体と、を有し、
前記第１及び第２の鏡筒ユニットが、該各鏡筒ユニットの半割された開放部が前記本の厚み方向の少なくとも一方を向くように前記収納箱体に収納されていることを特徴とする組立式天体望遠鏡付き書籍。
【請求項４】
前記鏡筒は、接眼レンズが配置される接眼レンズ鏡筒と、対物レンズが配置される対物レンズ鏡筒とを含み、前記接眼レンズ鏡筒及び対物レンズ鏡筒の各々が、半円筒状の半割りされた開放部が前記本の厚み方向を向くように前記収納箱体に収納されていることを特徴とする請求項３に記載の組立式天体望遠鏡付き書籍。
【請求項５】
前記組立式天体望遠鏡付き書籍の厚さが、２７ｍｍ以上２９ｍｍ以下であることを特徴とする請求項３又は４に記載の組立式天体望遠鏡付き書籍。
【考案の詳細な説明】
【技術分野】
【０００１】
本考案は、組立式天体望遠鏡及び該組立式天体望遠鏡を収納する収納箱体を備えた書籍に関する。
【背景技術】
【０００２】
従来の組立式天体望遠鏡は、対物レンズや接眼レンズなどのレンズ部材と該レンズ部材が装着される円筒形状のレンズ鏡筒とが組み立て可能に分解された状態で販売されている。組立式天体望遠鏡を購入したユーザは、レンズ鏡筒にレンズ部材を装着する組み立て作業を経て、組立式の天体望遠鏡を完成させる。
【０００３】
また、このような組立式天体望遠鏡は、望遠鏡や玩具等の専門的なカテゴリー（望遠鏡を取扱う販売店や玩具店等）での販売だけではなく、当該組立式天体望遠鏡を付録とする書籍又は雑誌として書店やコンビニエンスストアなどでも販売されている。
【考案の開示】
【考案が解決しようとする課題】
【０００４】
しかしながら、従来の組立式天体望遠鏡は、組み立て精度及び製造コストの面で大きな課題を有している。上述のように、レンズ鏡筒にレンズ部材を組み入れる作業が必要であるが、この際、天体望遠鏡の好適な性能を発揮させるには、レンズ部材をレンズ鏡筒の軸方向（光軸方法）に対して直角に保持させなければならない。しかしながら、円筒形状のレンズ鏡筒にレンズ部材を組み入れる作業は、レンズ鏡筒の開放部からレンズ部材を装着（挿入）する作業となり、レンズ部材をレンズ鏡筒の軸方向に対して直角に保持させる（レンズ部材の光軸とレンズ鏡筒の光軸とを一致させる）ことは、手作業による組立作業では困難である。
【０００５】
また、同様にレンズ部材は、レンズ鏡筒に対して所定の位置に配置する必要があるが、レンズ鏡筒が円筒形状であるため、外部から配置すべき所定の位置を確認することは難しく、レンズ鏡筒の開放部からレンズ部材を装着（挿入）してのレンズ部材の位置決め作業は困難となる。すなわち、レンズ部材をレンズ鏡筒の軸方向に対して直角に保持させつつ、所定の位置にレンズを位置決めする作業は、天体望遠鏡としての性能を低減させる大きな要因となるとともに、複雑な組み立て作業をユーザに要求することになる。
【０００６】
また、上述のレンズ鏡筒に対するレンズ部材の組み入れ作業及び位置決め作業に鑑み、レンズ鏡筒にレンズ保持部（位置決め部）などを形成することが考えられるが、レンズ鏡筒の内周面にレンズ保持部としての突起部を形成する場合、製造コストが高くなり好ましくない。特に、このようにレンズ鏡筒の内周面に突起部を形成してレンズ部材を配設するように構成しても、レンズ部材をレンズ鏡筒に固定するための固定部材がさらに必要になり、部品点数及び組み立て作業工程が増加してしまう。また、レンズ部材をレンズ鏡筒内部に配置せずに、レンズ部材をレンズ鏡筒の端面に配置する場合、レンズ部材を保持するためのレンズ保持部の厚み分、レンズ鏡筒の直径が大きくなり、かつ製造コストも嵩んでしまう。
【０００７】
そして、この従来の組立式天体望遠鏡は、当該組立式天体望遠鏡を付録とする書籍又は雑誌として書店やコンビニエンスストアなどでの販売される際に、以下のような課題を有している。
【０００８】
まず、書籍の厚みは、流通過程及び販売過程に大きな影響を与える。具体的には、書籍の厚みが厚ければ、通常の書籍よりも嵩張り、流通コストの高騰を招く他、書店の限られた販売スペースに対して非効率的である。特に、販売スペースの非効率な状態は、販売機会の減少を招いたり、付録付き書籍以外の書籍よりも大きな在庫スペースを確保しなければならない課題をさらに有することになる。販売スペースに対する陳列数量の少なさは、陳列補充の手間、陳列不足、品切れ等を引き起こし、多数の在庫を抱える（在庫スペースを確保する）ことで品切れ等を補う必要がある。また、在庫を抱えることができない場合には、注文販売という形式を採らざるを得ず、販売機会を減少させてしまう要因ともなる。つまり、書籍の厚みは、薄ければ薄いほど、流通コスト低減及び販売スペースの効率化を図ることができる。
【０００９】
また、付録付き書籍の厚みが厚い場合には、書籍を縦方向に立たせた状態での陳列ではなく、重ね積みた状態での陳列が行われる。そこで、付録物品及び本の破損を防止するために付録を収納する収納箱体の強度を向上させたり、補強等を行う必要性が生じ、書籍自体のコストが高くなってしまう。
【００１０】
しかしながら、従来の組立式天体望遠鏡のレンズ鏡筒は、１つの円筒形状の比較的長大な部材で構成されており、天体望遠鏡として性能を好適に発揮させるために対物レンズのレンズ口径は、ある程度大きなものとなっている。つまり、レンズ鏡筒の口径は、レンズ口径よりも小さい厚さにすることができず、組立式天体望遠鏡の各部材を収納する収納箱体の厚さを薄くすることができない。
【００１１】
また、レンズ鏡筒を長さ方向に沿って輪切りに分割した複数の円筒形状部材で構成することも考えられるが、組み立て精度や組み立て作業の複雑性、部品点数の増加による製造コストの高騰等の観点から好ましくない。また、レンズ鏡筒が円筒形状部材のまま提供される場合、収納箱体内で移動してしまうため、移動防止策などのコスト高の要因を含んでいる。
【００１２】
そこで、本考案の目的は、高い組み立て精度を維持しつつ、簡単に組み立てることが可能な組立式天体望遠鏡を提供することにある。
【００１３】
さらに、本考案の他の目的は、組立式天体望遠鏡が書籍の付録として販売される形態に鑑み、その厚さを薄くした組立式天体望遠鏡を付録とする書籍を提供することにある。
【課題を解決するための手段】
【００１４】
本考案の１つの側面としての組立式天体望遠鏡は、対物レンズ及び接眼レンズを含むレンズ部材が配設される鏡筒が、半円筒状の第１及び第２の鏡筒ユニットで構成され、かつ第１及び第２の鏡筒ユニットの内周に、レンズ部材を配置するための配設部が形成されていることを特徴とする。なお、上記配設部は、第１及び第２のユニットの少なくとも一方の内周に形成するように構成してもよい。
【００１５】
また、本考案の他の側面としての組立式天体望遠鏡は、対物レンズ及び接眼レンズを含むレンズ部材と、対物レンズが配置される第１の鏡筒と、第１のレンズ鏡筒に係合し、接眼レンズが配置される第２の鏡筒とを有し、第１及び第２の鏡筒の各々が、半円筒状の第１及び第２の鏡筒ユニットで構成されるとともに、各々の鏡筒ユニットにレンズ部材を配置するための配設部が形成されていることを特徴とする。
【００１６】
さらに、本考案の１つの側面としての、組立式天体望遠鏡が収納される収納箱体を備えた組立式天体望遠鏡付き書籍は、本と、該組立式天体望遠鏡を構成する少なくともレンズ部材とレンズ部材が配置される半円筒形状に半割された第１及び第２の鏡筒ユニットで構成される鏡筒とを含む付録物品と、付録物品を収納する上記収納箱体と、を有し、第１及び第２の鏡筒ユニットが、該各鏡筒ユニットの半割された開放部が上記本の厚み方向の少なくとも一方を向くように上記収納箱体に収納されていることを特徴とする。
【００１７】
なお、上記書籍の鏡筒は、接眼レンズが配置される接眼レンズ鏡筒と、対物レンズが配置される対物レンズ鏡筒とを含み、接眼レンズ鏡筒及び対物レンズ鏡筒の各々が、半円筒状の半割りされた開放部が上記本の厚み方向を向くように収納箱体に収納されるように構成することが好ましい。
【００１８】
また、上記書籍の厚さが、２７ｍｍ以上２９ｍｍ以下となるように構成することが好ましい。
【考案の効果】
【００１９】
本考案によれば、高い組み立て精度を維持しつつ、簡単に天体望遠鏡を組み立てることが可能となるとともに、組立式天体望遠鏡の付録物品が収納される収納箱体の厚さを薄くすることができ、書籍としての好適な販売形態及び流通形態を提供することが可能となる。
【考案を実施するための最良の形態】
【００２０】
以下、添付図面を参照しながら本考案の好適な実施形態について詳細に説明する。
【００２１】
図１は、本考案に係る実施形態の組立式天体望遠鏡の分解斜視図である。同図に示すように、本実施形態の組立式天体望遠鏡は、接眼レンズ群２１（２１ａ、２１ｂ、２１ｃ）、対物レンズ群２２（２２ａ、２２ｂ）、対物レンズ鏡筒２３、及び接眼レンズ鏡筒２４で構成される。そして、本考案の対物レンズ鏡筒２３は、従来のように円筒形状のまま提供されるのではなく、半円筒形状に半割された第１の鏡筒ユニット２３ａ及び第２の鏡筒ユニット２３ｂで提供され、これら第１及び第２の鏡筒ユニット２３ａ、２３ｂを組み合わせることで、円筒形状の対物レンズ鏡筒を形成する。また、接眼レンズ鏡筒２４も同様に、半円筒形状に半割された第３の鏡筒ユニット２４ａ及び第４の鏡筒ユニット２４ｂとして提供され、これら第３及び第４の鏡筒ユニット２４ａ、２４ｂを組み合わせることで円筒形状の接眼レンズ鏡筒２４を形成する。
【００２２】
また、本実施形態の組立式天体望遠鏡には、対物レンズ群２２と対物レンズ鏡筒２３との間に配設されるＯリング２２ｃ、接眼レンズ２１用の絞り部材２７、三脚ナット２８、ナット押さえ部材２９、目当て部材２５、鏡筒押さえ部材２６ａ、２６ｂを備える。
【００２３】
そして、対物レンズ鏡筒２３を構成する半円筒形状の第１の鏡筒ユニット２３ａ、２３ｂの各々の内周には、対物レンズ群２２を対物レンズ鏡筒２３に配置するための配設部としての凹凸部Ｂが所定の位置に形成され、その他対物レンズ群２２に対する絞り部Ｃ、接眼レンズ鏡筒２４との係合のためのらせん状の溝部Ｄ２、補強部Ｇ、三脚ナット収納部Ｅ、ナット押さえ係合部Ｆが形成されている。一方、接眼レンズ鏡筒２３を構成する第３及び第４の鏡筒ユニット２４ａ、２４ｂの内周の各々には、接眼レンズ２１ａ、２１ｂ、２１ｃ及び絞り部材２７を接眼レンズ鏡筒２４に配置するための配設部としての凹凸部Ａが所定の位置に形成され、その外周に、第１及び第２の鏡筒ユニット２３ａ、２３ｂの溝部Ｄ２と係合するらせん状の溝部Ｄ１が形成されている。
【００２４】
これら第１〜第４の鏡筒ユニット２３ａ、２３ｂ、２４ａ、２４ｂは、プラスチック射出形成などの形成技術により製作することができ、切削加工やプレス加工などの機械加工を要せずに、上述の凹凸部Ａ、Ｂ、絞り部Ｃ、らせん状の溝部Ｄ１、Ｄ２、補強部Ｇ、三脚ナット収納部Ｅ、ナット押さえ係合部Ｆを各々の鏡筒ユニットに形成することが可能である。
【００２５】
図２及び図３は、本実施形態の組立式天体望遠鏡の組立工程を示すものであり、図２は、接眼レンズ鏡筒２４の鏡筒ユニットに接眼レンズ２１ａ、２１ｂ、２１ｃ、及び絞り部材２７の光学部材を配置する際の組立工程を示している。また、図３は、対物レンズ鏡筒２３の組立工程を示している。
【００２６】
まず、図２に示すように、接眼レンズ鏡筒２４の鏡筒ユニット２４ｂの凹凸部Ａに接眼レンズ群２１及び絞り部材２７を配置する。具体的には、配設部Ａ１に絞り部材２７を配置し、接眼レンズ２１ａ、２１ｂを組み合わせた状態で配設部Ａ２に配置し、さらに接眼レンズ２１ｃを配設部Ａ３に配置する。そして、レンズ部材が配置された鏡筒ユニット２４ｂの上方から鏡筒ユニット２４ａを組み合わせ、接眼レンズ群２１が配置された部分に目当て部材２５を係合（嵌合）させることで、接眼レンズ鏡筒２４を組み立てる。
【００２７】
次に、対物レンズ鏡筒の組立工程を説明する。図３に示すように、まず、対物レンズ２２ａ、２２ｂを組み合わせ、その組み合わせたレンズの外周にＯリング２２ｃを装着することで対物レンズ群２２を組み立てる。なお、本実施形態の対物レンズ群２２は、色収差を低減するために、対物レンズ２２ａ、２２ｂで構成されるアクロマートレンズを使用している。
【００２８】
そして、組み立てられた対物レンズ群２２を対物レンズ鏡筒２３の鏡筒ユニット２３ａの凹凸部Ｂに配置し、図２で組み立てられた接眼レンズ鏡筒２４を、当該接眼レンズ鏡筒２４のらせん状の溝部Ｄ１と鏡筒ユニット２３ａのらせん状の溝部Ｄ２とが係合するように配置し、三脚ナット収納部Ｅに三脚ナット２８を収納して、他方の鏡筒ユニット２３ｂとこれら対物レンズ群２２及び接眼レンズ鏡筒２４等が配置された鏡筒ユニット２３ａとを組み合わせる。その後、対物レンズ鏡筒２３の両端から、鏡筒押さえ部材２６ａ、２６ｂをはめ込み、最後に、ナット押さえ係合部Ｆにナット押さえ部材２９をはめ込むことで、組立式天体望遠鏡が完成する。また、対物レンズ鏡筒２３と接眼レンズ鏡筒２４は、らせん状の溝部Ｄ１、Ｄ２により係合（ネジ嵌合）され、対物レンズ鏡筒２３又は接眼レンズ鏡筒２４の一方を他方に対して回転させることで、鏡筒全長を伸縮し、焦点距離を自在に変更することが可能となっている。
【００２９】
このように実施形態の組立式天体望遠鏡は、対物レンズ及び接眼レンズが配置される対物レンズ鏡筒２３及び接眼レンズ鏡筒２４の各々が、半円筒形状に半割された鏡筒ユニットで構成され、各鏡筒ユニットに対物レンズ及び接眼レンズを配置するための配設部が所定の位置に形成されている。このため、半円筒形状の一方の鏡筒ユニットに対してレンズ部材を配置し、その後、他方の鏡筒ユニットを組み合わせて鏡筒を組み立てることができる。
【００３０】
したがって、レンズ部材を鏡筒の軸方向に対して直角に保持させつつ、所定の位置にレンズを位置決めする作業が極めて容易に行え、高い組み立て精度を維持しつつ、簡単に組み立てることが可能な組立式天体望遠鏡を提供することが可能となる。また、天体望遠鏡の内部構造を、組み立てながら習得することもでき、小学生や中学生など専門的な知識を有しないユーザに対しても、簡単に精度良く天体望遠鏡を作成（組立）することができる。
【００３１】
さらには、接眼レンズ群２１及び対物レンズ群２２が鏡筒ユニットの内面に形成された凹凸部Ａ，Ｂに配置されるため、別途のレンズ固定部材等を必要とせず、かつ鏡筒の直径が必要以上に大きくならない。特に、鏡筒ユニット２３ａ、２３ｂ、２４ａ、２４ｂは、プラスチック射出形成などの形成技術により製作することができ、切削加工やプレス加工などの機械加工を必要としないため、製造コストが低く抑えられる。なお、本実施形態では、鏡筒ユニット２３ａ及び鏡筒ユニット２３ｂには、互いに係合する係合部を形成せずに、鏡筒押さえ部材２６ａ、２６ｂを組み合わせられた鏡筒ユニット２３ａ、２３ｂに係合することで、対物レンズ鏡筒２３を組み立てているが、鏡筒ユニット２３ａ、２３ｂの各々に互いに係合する係合部を形成し、鏡筒押さえ部材２６ａ、２６ｂを用いずにこれら係合部を嵌め合わせることで、対物レンズ鏡筒２３を組み立てることも可能である。接眼レンズ鏡筒２４についても同様である。
【００３２】
次に、上述の本実施形態の組立式天体望遠鏡を付録とした本考案に係る組立式天体望遠鏡付き書籍について説明する。図４は、上記図１〜図３に示した本実施形態の組立式天体望遠鏡を付録とする書籍１を示すものであり、図４（ａ）は、書籍１の全体図を、図４（ｂ）は、書籍１の断面図を示している。また、図５は、組立式天体望遠鏡を構成する複数の付録物品（図１の組立式天体望遠鏡の各パーツ）を示す平面図である。
【００３３】
図４に示すように、本実施形態の組立式天体望遠鏡付き書籍１は、付録としての組立天体望遠鏡に関する本１０と、付録物品２０と、付録物品２０を収納するための収納箱体３０と、収納箱体３０を覆う蓋部材４０とで構成されている。蓋部材４０は、収納箱体３０と個別に、または一体的に形成され、当該収納箱体３０を覆う部材である。なお、本１０を蓋部材４０として使用することも可能であり、当該蓋部材４０は、適宜省略することができる。収納箱体３０についての詳細は、後述する。また、本実施形態の書籍１は、本１０と収納箱体３０とをビニールシート材で一体的に被覆したり、本１０と収納箱体３０とを化粧箱体に収納した形態で書籍販売店等において陳列及び販売される。また、本実施形態の本１０としては、当該組立式天体望遠鏡に関する事項（例えば、季節毎に観測される天体の位置や天体の説明）が掲載された本に限らず、一枚又は複数枚のパンフレットや組み立てや使用に関する説明のみが掲載された説明書なども含まれる。
【００３４】
付録物品２０は、上記図１の組立式天体望遠鏡の各パーツであり、図５に示すように、レンズ部材としての接眼レンズ２１（接眼レンズ２１ａ、２１ｂ、２１ｃ）、対物レンズ２２（２２ａ、２２ｂ）、対物レンズ鏡筒２３の第１及び第２の鏡筒ユニット２３ａ、２３ｂ及び接眼レンズ鏡筒２４の第３及び第４の鏡筒ユニット２４ａ、２４ｂ、目当て部材２５、鏡筒押さえ部材２６ａ、２６ｂ、Ｏリング２２ｃ、絞り部材２７、三脚ナット２８、及びナット押さえ部材２９とが含まれる。
【００３５】
なお、対物レンズ２２ａ、２２ｂ及び接眼レンズ２１ａ、２１ｂ、２１ｃは、損傷を防止するため、エアキャップ等の緩衝部材２２０で覆われて収納箱体３０に収納されている。また、目当て部材２５、鏡筒押さえ部材２６ａ、２６ｂ、Ｏリング２２ｃ、絞り部材２７、三脚ナット２８、及びナット押さえ部材２９は、付属品として１つの付属品収納箱体２１０に集約されて収納される。
【００３６】
当該収納箱体３０は、紙材、ブラスチック材で形成することができるが、本実施形態ででは、紙材の紙段ボールを採用し、その種類として、薄くて軽いＥ段の紙段ボールを使用する。そして、本実施形態の収納箱体３０は、当該収納箱体３０の底面を一部切り起して間仕切りＨが形成され、対物レンズ鏡筒２２の第１及び第２の鏡筒ユニット２３ａ、２３ｂ、接眼レンズ鏡筒の第３及び第４の鏡筒ユニット２４ａ、２４ｂが間仕切りＨを介して収納されている。
【００３７】
図４（ｂ）は、複数の付録物品が収納された収納箱体３０を含む書籍１の断面図であり、同図に示すように、対物レンズ鏡筒２２を構成する半円筒形状に半割された第１及び第２の鏡筒ユニット２３ａ、２３ｂ、及び接眼レンズ鏡筒２４を構成する第３及び第４の鏡筒ユニット２４ａ、２４ｂの各々は、該各鏡筒ユニットの半割された開放部が本１０の厚み方向の少なくとも一方を向くように収納箱体３０に収納される。本実施形態では、各鏡筒ユニット２３ａ、２３ｂ、２４ａ、２４ｂの各々が、半円筒形状の開放部（開放側）が収納箱体３０の底面側を向くように（半割された開放部が収納箱体３０に接するように）並んで収納されている。なお、半円筒形状の開放部（開放側）が蓋部材４０側を向くように（半割された開放部が蓋部材４０に接するように）並んで（各々が略平行に並んで）収納することも可能である。すなわち、各鏡筒ユニットの開放部が半割された開放部の各々が、本１０の厚み方向の少なくとも一方を向くように収納箱体３０に収納されればよく、例えば、鏡筒ユニット２３ａが本１０の厚み方向の一方（蓋部材４０側）を向くように収納され、鏡筒ユニット２３ｂが本１０の厚み方向の他方（収納箱体３０の底面側）を向くように収納されてもよい。
【００３８】
ここで、本実施形態の組立式天体望遠鏡及び組立式天体望遠鏡付き書籍１を、具体的な実施例に即して説明すると、対物レンズ２２の有効口径を４０ｍｍとした場合、対物レンズ鏡筒２３の直径は、実際は厚み分を考慮して、４６ｍｍ〜４８ｍｍとなる。このため、半円筒形状の対物レンズ鏡筒２３の半径は、２３ｍｍから２４ｍｍとなり、図４（ｂ）に示すように、収納箱体３０の厚みＴ２は、当該収納箱体３０のＥ段の厚みが１．５ｍｍ〜２．０ｍｍであるから、２４．５ｍｍ〜２６．０ｍｍとなった。したがって、本実施形態の書籍１の厚さＴ１は、本１０の厚みを１ｍｍとした場合、蓋部材４０のＥ段の厚みが１．５ｍｍ〜２．０ｍｍであるので、２７ｍｍ〜２９ｍｍとなる。実際には、厚さＴ１が２９ｍｍの当該組立式天体望遠鏡付き書籍１を製作することができた。なお、Ｅ段の寸法誤差や紙質や記載量に係る枚数の増減に伴う本１０の厚みの変動を鑑みれば、上述のように厚さＴ１が２７ｍｍの組立式天体望遠鏡付き書籍１を製作することも可能であり、また、本１０の厚さを除き、蓋部材４０を含む収納箱体３０の厚さは、最大で２８ｍｍで製作することが可能であることがわかる。また、当該書籍１の縦方向及び横方向のサイズは、Ａ４紙サイズの２１０ｍｍラ２９７ｍｍ内とすることができた。
【００３９】
上述のように、本実施形態の組立式天体望遠鏡付き書籍１は、対物レンズ鏡筒２３及び接眼レンズ鏡筒２４の各々が、組立可能に半円筒形状に半割された状態で収納箱体３０に収納されるため、収納箱体３０を薄くすることが可能となる。すなわち、従来のようにレンズ鏡筒が１つの円筒形状の部材で構成されている場合、対物レンズの有効口径が４０ｍｍであれば自ずと書籍の厚さは４０ｍｍ以上となるが、本実施形態の書籍１は、２９ｍｍ以下の厚さで製作することができる。
【００４０】
さらに、収納箱体３０における鏡筒ユニットの据わりよい。すなわち、各鏡筒ユニットが、これら各鏡筒ユニットの半割された開放部が本１０の厚み方向の少なくとも一方を向くように収納箱体３０に収納されているため、従来のように円筒形状の鏡筒のように収納箱体３０内で転がるようなことがなく、各鏡筒ユニット及び間仕切りＨと蓋部材４０との間隙はごく小さいことから、付録物品の破損防止及び収納箱体３０の強度向上が図られる。
【００４１】
したがって、付録を収納する収納箱体３０の厚みを薄くすることにより、書籍１全体の厚みを薄くすることが可能となり、流通コスト低減、破損リスクの防止及び販売スペースの効率化を図ることができ、さらに書籍販売店の負担軽減を図ることが可能となる。
【００４２】
以上、本考案の好適な実施形態について説明したが、対物レンズ鏡筒２３と接眼レンズ鏡筒２４とを別体で構成せずに、１つの鏡筒として形成される場合であっても、適用可能である。また、各鏡筒ユニットは、半円筒形状に形成されているため、半割された開放側を同一の厚さ方向に向けて重ねた状態で収納箱体３０に収納することも可能である。
【００４３】
また、上記説明では、接眼レンズ群２１を複数のレンズ群で構成しているが、これに限らず、１つのレンズ部材で構成することも可能であり、また、対物レンズ部材２２についても、単レンズで構成することも可能である。また、対物レンズ鏡筒２３又は接眼レンズ鏡筒２４の一方を回転させることで、鏡筒全体を伸縮させて焦点距離を自在に変更するように構成しているが、鏡筒全体を伸縮させずに、接眼レンズ群２１及び対物レンズ群２２を各々レンズユニットとして構成し、レンズユニットを移動させて焦点距離を自在に変更するように構成することも可能である。
【００４４】
また、付属品収納箱体２１０は、内部に付属品を収納する箱体として形成しているが、例えば、付属品台座部材として構成し、この台座に各付属品が嵌め込まれる若しくは埋め込まれるように構成することも可能である。
【００４５】
また、間仕切りＨは、別途に構成された仕切り部材３５、３６、３７、３８を用いて構成することも可能であり、例えば、収納されている付録物品に応じて、レンズ部材が収納される付近の仕切り部材をＡ段やＡＢ段で構成し、部分的に強度を増すことも可能である。
【００４６】
また、上記本実施形態の書籍１は、例えば、収納箱体３０内に本１０を収納するスペースを確保するなどして、収納箱体３０内に本１０を一体的に収納した形態に構成することも可能である。具体的には、蓋部材４０と収納箱体３０との間に本１０が収納される構造を採用する。このように構成することで、別途化粧箱体を必要とせず、製造コストを低減することが可能になる。
【図面の簡単な説明】
【００４７】
【図１】本考案に係る実施形態における組立式天体望遠鏡の分解斜視図である。
【図２】本考案に係る実施形態における組立式天体望遠鏡の組立工程を示すものである。
【図３】本考案に係る実施形態における組立式天体望遠鏡の図２に続く組立工程を示すものである。
【図４】本考案に係る実施形態における組立式天体望遠鏡を付録とする書籍を示すものであり、図４（ａ）は、本実施形態の書籍の全体図、図４（ｂ）は、本実施形態の書籍の断面図を示している。
【図５】本考案に係る実施形態における組立式天体望遠鏡を構成する複数の付録物品が収納箱体に収納された状態を示す平面図である。
【符号の説明】
【００４８】
１      組立式天体望遠鏡付き書籍
１０    本
２０    付録物品（組立式天体望遠鏡）
２１    接眼レンズ
２２    対物レンズ
２３ａ  第１対物レンズ鏡筒
２３ｂ  第２対物レンズ鏡筒
２４ａ  第１接眼レンズ鏡筒
２４ｂ  第２接眼レンズ鏡筒
３０    収納箱体
４０    蓋部材
Ａ、Ｂ  配設部（凹凸部）
【図１】
0003127750.tif 000003
【図２】
0003127750.tif 000004
【図３】
0003127750.tif 000005
【図４】
0003127750.tif 000006
【図５】
0003127750.tif 000007